(57)【特許請求の範囲】
【請求項１】
少なくとも樹脂微粒子（Ｄ）、グリコール系溶剤（Ｅ）、およびエチレングリコールエーテル系溶剤（Ｆ）である保湿溶剤を含む水性インクジェット用インキ組成物であって、樹脂微粒子（Ｄ）が、
イオン性官能基を有さない芳香族エチレン性不飽和単量体（Ａ）０．１〜３０重量％、炭素数１〜４のアルキル基含有エチレン性不飽和単量体（Ｂ）４０〜９５重量％、
架橋性エチレン性不飽和単量体（Ｃ）０．１〜１０重量％、
を含むエチレン性不飽和単量体を乳化重合してなり、平均粒子径が１６３〜３３９ｎｍであり、かつ固形分濃度３０ｐｐｍにおける１．５〜５μｍの粗大粒子量が２５０００個／ｃｍ3以下、５〜１０μｍの粗大粒子量が４０００個／ｃｍ3以下であり、かつガラス転移温度が４０〜１２０℃である水性インクジェット用インキ組成物。
【請求項２】
イオン性官能基を有さない芳香族エチレン性不飽和単量体（Ａ）が、スチレン、またはα−メチルスチレンであることを特徴とする請求項１記載の水性インクジェット用インキ組成物。
【請求項３】
架橋性エチレン性不飽和単量体（Ｃ）が、アルコキシシリル基含有エチレン性不飽和単量体（Ｇ）または２個以上のアリル基を有する単量体（Ｈ）である請求項１または２記載の水性インクジェット用インキ組成物。
【請求項４】
架橋性エチレン性不飽和単量体（Ｃ）が、２個以上のアリル基を有する単量体（Ｈ）である請求項１〜３いずれか記載の水性インクジェット用インキ組成物。
【発明の詳細な説明】
【技術分野】
【０００１】
本発明は、水性インクジェット用インキ組成物に関する。さらに詳しくは、インキの保存安定性・吐出性、印字物の印刷適性、耐擦性、耐水性、耐溶剤性、光沢、明度に優れたバインダー樹脂を含有する、水性インクジェット用インキ組成物に関する。
【背景技術】
【０００２】
インクジェット記録方式は、近年高解像度化、高性能化が進み、優れた耐水性、耐候性の期待が高まっている。さらに近年では商業印刷分野での需要も高まり、顧客の要求に応じて小ロットで多様な印刷方式に対応し得るインクジェットインキ、特に上質紙からアート紙、コート紙、さらにはＰＰ（ポリプロピレン）、ＰＥＴ（ポリエチレンテレフタレート）、塩ビ（塩化ビニル）といったフィルムなど、様々な基材に印字可能なインキが求められている。さらには商業印刷にはますますの高速印刷化が求められ、これらの要求を満たすインクジェットインキが求められている。
【０００３】
水性インクジェットインキは、一般的に顔料、顔料分散樹脂、水、保湿剤成分、およびバインダーにより構成される。このうちバインダーは、塗膜の耐性を向上させる目的で使用される。バインダーとして、ノズル詰まりをせずに安定な吐出を与え、かつ耐水性やインキの安定性を確保する目的で、樹脂エマルジョンを用いる試みは、従来多く行われていた。例えば、特許文献１では、バインダーとして樹脂エマルジョン等を用い、インキの最低造膜温度（ＭＦＴ）を４０℃以上にすることで、インキの保存安定性や目詰まりを低減させている。しかし、単にインキの最低造膜温度（ＭＦＴ）を規定するだけの方法では、耐水性や耐溶剤性、さらには塗膜の耐摩擦性といったインキ物性を向上させるには至っていない。さらにインキ造膜温度（ＭＦＴ）が高温であるため、使用可能な印刷システムにも制限がかかり汎用性に乏しい。
【０００４】
また、特許文献２では、樹脂エマルジョンのガラス転移温度（Ｔｇ）が３５℃以上かつ最低造膜温度（ＭＦＴ）が２０℃以下であることを特徴としている水性インクジェット用インキ組成物が開示されている。しかしながら、保湿剤成分に対する樹脂エマルジョンの安定性については考慮されておらず、印字物の塗膜耐性と吐出性の両立という点では不十分である。
【０００５】
さらに特許文献３では、樹脂エマルジョンのガラス転移温度（Ｔｇ）が４０〜８０℃であり、アルキレングリコールのモノアルキルエーテル、２−ピロール、Ｎ−メチルピロリドン、スルホランからなる群から選択される水溶性表面剤を含むことを特徴とする水性インクジェット用インキ組成物が開示されている。これらも単に樹脂の軟化／造膜温度を規定しているだけであり、耐水性や耐溶剤性、さらには耐摩擦性といった耐性を十分に満足するものではない。さらには、より疎水性の高い水溶性表面剤中での吐出性など、水性インクジェット用インキとして汎用性のある樹脂エマルジョン設計であるとはいえない。
【０００６】
樹脂エマルジョンの組成を規定した先行技術としては、例えば特許文献４では、特殊な長鎖アルキルオリゴマーを有するアクリルエマルジョンをバインダーとして用いることで、金属密着性を向上させたインクジェットインキが開示されている。しかし添加の効果に関する検討が十分ではなく、またアート紙やコート紙、フィルム等の疎水性基材に対する密着性は得られない。
【０００７】
また、特許文献５では、酸モノマーと架橋モノマーを規定した樹脂エマルジョン含む水性インクジェット用インキの印刷システムについて開示されている。樹脂エマルジョンのモノマー及びその量の規定により、インキ中での安定性を確保しているが、こちらも従来より多く樹脂エマルジョンの特徴を開示しているだけで、より疎水性の高い水溶性有機溶剤を含むインキとした場合の、インキの吐出性など、水性インクジェット用インキとして汎用性のある樹脂エマルジョン設計であるとはいえない。
【先行技術文献】
【特許文献】
【０００８】
【特許文献１】特許第２８６７４９１号公報
【特許文献２】特許第４０７９３３９号公報
【特許文献３】特許第３９３７１７０号公報
【特許文献４】特許第４０３３４４２号公報
【特許文献５】特許第４５２０８７１号公報
【発明の概要】
【発明が解決しようとする課題】
【０００９】
本発明は、インキの保存安定性・吐出性、印字物の印刷適性、耐擦性、耐水性、耐溶剤性、光沢、明度に優れ、連続印刷時の印字物間の擦れや、水またはアルコール系溶剤との接触にも耐え、さらには吐出性の良好な水性インクジェット用インキ組成物の提供を目的とする。
【課題を解決するための手段】
【００１０】
すなわち、第１の発明は、少なくとも樹脂微粒子（Ｄ）、グリコール系溶剤（Ｅ）、およびエチレングリコールエーテル系溶剤（Ｆ）である保湿溶剤を含む水性インクジェット用インキ組成物であって、樹脂微粒子（Ｄ）が、
イオン性官能基を有さない芳香族エチレン性不飽和単量体（Ａ）０．１〜３０重量％、炭素数１〜４のアルキル基含有エチレン性不飽和単量体（Ｂ）４０〜９５重量％、
架橋性エチレン性不飽和単量体（Ｃ）０．１〜１０重量％、
を含むエチレン性不飽和単量体を乳化重合してなり、平均粒子径が１６３〜３３９ｎｍであり、かつ固形分濃度３０ｐｐｍにおける１．５〜５μｍの粗大粒子量が２５０００個／ｃｍ3以下、５〜１０μｍの粗大粒子量が４０００個／ｃｍ3以下であり、かつガラス転移温度が４０〜１２０℃である水性インクジェット用インキ組成物に関する。
【００１３】
また、第２の発明は、イオン性官能基を有さない芳香族エチレン性不飽和単量体（Ａ）が、スチレン、またはα−メチルスチレンであることを特徴とする第１の発明の水性インクジェット用インキ組成物に関する。
【００１４】
さらに、第３の発明は、架橋性エチレン性不飽和単量体（Ｃ）が、アルコキシシリル基含有エチレン性不飽和単量体（Ｇ）または２個以上のアリル基を有する単量体（Ｈ）である第１または第２の発明の水性インクジェット用インキ組成物に関する。
さらに、第４の発明は、架橋性エチレン性不飽和単量体（Ｃ）が、２個以上のアリル基を有する単量体（Ｈ）である第１〜第３いずれかの発明の水性インクジェット用インキ組成物に関する。
【発明の効果】
【００１６】
本発明により、インキの保存安定性・吐出性、印字物の印刷適性、耐擦性、耐水性、耐溶剤性、光沢、明度に優れ、連続印刷時の印字物間の擦れや、水またはアルコール系溶剤との接触にも耐え、さらには吐出性の良好な水性インクジェット用インキ組成物を提供できた。
【発明を実施するための形態】
【００１７】
本発明の水性インクジェット用インキ組成物は、少なくとも樹脂微粒子（Ｄ）、保湿溶剤を含む水性インクジェット用インキ組成物であって、樹脂微粒子（Ｄ）の平均粒子径が１５０〜３５０ｎｍであり、かつ固形分濃度３０ｐｐｍにおける１．５〜５μｍの粗大粒子量が２５０００個／ｃｍ３以下、５〜１０μｍの粗大粒子量が４０００個／ｃｍ３以下であることを特徴とする
【００１８】
まず、本発明の樹脂微粒子（Ｄ）について説明する。
本発明の樹脂微粒子（Ｄ）は、平均粒子径が１５０〜３５０ｎｍであることを特徴とする。樹脂微粒子（Ｄ）の平均粒子径は、インキ組成物の吐出性・保存安定性と、印字物の塗膜物性（耐擦性、耐水性、耐溶剤性、光沢、明度）に大きな影響を及ぼす。平均粒子径が１５０ｎｍ未満であると樹脂微粒子（Ｄ）のインキ組成物中での分散安定性が悪化して吐出性に悪影響を及ぼす上、印字物の印刷適性が悪化する。特に本発明のグリコール系溶剤（Ｅ）およびエチレングリコールエーテル系溶剤(Ｆ)を含む疎水性の高い保湿剤を使用する場合、吐出性の悪化が顕著になる。平均粒子径が３５０ｎｍを超えると、インキ組成物の吐出性が悪化したり、樹脂微粒子（Ｄ）の成膜不良から印字物の光沢や明度に悪影響を及ぼす。特に平均粒子径が３５０ｎｍを超える場合、粒子径が１μｍを超えるような粗大粒子が多く含有され易く、インクジェットの吐出性が著しく悪化する。
【００１９】
上記の平均粒子径とは樹脂微粒子水分散体の水希釈液にレーザー光を照射して、その散乱光から粒子のブラウン運動を検出する動的光散乱法により測定した値である。
【００２０】
本発明の樹脂微粒子（Ｄ）は、固形分濃度３０ｐｐｍの樹脂微粒子（Ｄ）の水分散液における１．５〜５μｍの粗大粒子量が２５０００個／ｃｍ３以下、５〜１０μｍの粗大粒子量が４０００個／ｃｍ３以下であることを特徴とする。上記のように、粒子径が１μｍを超えるような粗大粒子がインキ中に多く含まれると、インクジェットの吐出性が著しく悪化する。特に商業用水系インクジェット用インキ組成物のような高速印刷が求められる用途においては、樹脂微粒子の粗大粒子量は分滴・デキャップ性といった吐出性能に大きな影響を及ぼす。
【００２１】
樹脂微粒子（Ｄ）は、固形分濃度３０ｐｐｍの水分散液における１．５〜５μｍの粗大粒子量が２５０００個／ｃｍ３を超えると、インキ組成物の吐出性（分滴、デキャップ性）が著しく悪化する。同様に固形分濃度３０ｐｐｍの水分散液における５〜１０μｍの粗大粒子量が４０００個／ｃｍ３を超える場合も、インキ組成物の吐出性（分滴、デキャップ性）が著しく悪化する。
【００２２】
上記の粗大粒子量は、樹脂微粒子水分散体の水希釈液にレーザー光を照射して、その投影径の個数をカウントする方式により測定した値である。測定方法としては、例えば、Ａｃｃｕｓｉｚｅｒ  ＳＩＳ／ＳＷ７８８測定装置（インターナショナルビジネス株式会社製）を用い、合成により得られた固形分濃度４０％の樹脂微粒子（Ｄ）を１５０００倍希釈することによって、固形分濃度３０ｐｐｍの希釈液を得る。この希釈液を測定することによって、各粒子径における粒子数を定量することができる。
【００２３】
さらに本発明の樹脂微粒子（Ｄ）はイオン性官能基を有さない芳香族エチレン性不飽和単量体（Ａ）、炭素数１〜４のアルキル基含有エチレン性不飽和単量体（Ｂ）、架橋性エチレン性不飽和単量体（Ｃ）を含むエチレン性不飽和単量体をラジカル重合開始剤によって乳化重合して得ることが好ましい。
【００２４】
イオン性官能基を有さない芳香族エチレン性不飽和単量体（Ａ）は、その構造中にエチレン性不飽和結合を１つ有する単量体であって、乳化重合初期に粒子核形成を安定化させる働き、また重合の副生成物である溶融樹脂成分を低減させる効果がある。そのため、インキ印字物の耐摩擦性や吐出性を良好にする効果がある。さらに重合安定性が良好であること、それを用いて得られるポリマーの疎水性が高いという理由により、インキ組成物に含まれる保湿剤に対する安定性も高い。このため、メチルトリグリコール（ＭＴＧ）、ブチルジグリコール（ＢＤＧ）などのグリコールエーテル系などの保湿剤を多く含むインキ組成物を調製した場合、保存安定性や吐出性に良好な効果を与える。
さらには印字物の塗膜物性（耐摩擦性、耐溶剤性、光沢・明度）を向上させる働きをする。
【００２５】
本発明におけるイオン性官能基としては、具体的には、アニオン性官能基としてカルボキシル基、リン酸基、スルホン酸基、およびそれらの塩などが挙げられ、カチオン性官能基としてアミノ基、その塩、および４級アンモニウム塩基などを挙げることができる。
【００２６】
イオン性官能基を有さない芳香族エチレン性不飽和単量体（Ａ）としては例えば、スチレン、α−メチルスチレン、ｏ−メチルスチレン、ｐ−メチルスチレン、ｍ−メチルスチレン、ビニルナフタレン、ベンジルアクリレート、ベンジルメタクリレート、フェノキシエチルアクリレート、フェノキシエチルメタクリレート、フェノキシジエチレングリコールアクリレート、フェノキシジエチレングリコールメタクリレート、フェノキシテトラエチレングリコールアクリレート、フェノキシテトラエチレングリコールメタクリレート、フェノキシヘキサエチレングリコールアクリレート、フェノキシヘキサエチレングリコールメタクリレート、フェニルアクリレート、フェニルメタクリレート等があげられる。
【００２７】
樹脂微粒子（Ｄ）を得るために用いられるエチレン性不飽和単量体の合計１００重量％中、イオン性官能基を有さない芳香族エチレン性不飽和単量体（Ａ）の含有量は、０．１〜４０重量％であることが好ましく、さらには１０〜３０重量％であることがより好ましい。含有量が０．１重量％未満であると乳化重合時の粒子核形成が不安定になり、凝集物の発生が多くなる場合がある。また樹脂微粒子（Ｄ）のグリコール系溶剤ならびにエチレングリコールエーテル系溶剤への安定性が低下してインキ組成物が増粘し、インキの保存安定性・吐出性の悪化を引き起こす場合がある。さらに印字物の塗膜物性（耐摩擦性、耐溶剤性、光沢・明度）を向上させる効果も低くなる場合がある。含有量が４０重量％を超える場合には、印字物の塗膜物性（特に光沢・明度）が悪化する場合がある。
【００２８】
上記に挙げたイオン性官能基を有さない芳香族エチレン性不飽和単量体（Ａ）の中でも、特にスチレン、α‐メチルスチレンを使用することがより好ましい。スチレン、α‐メチルスチレンを使用することで、乳化重合時の粒子核形成がより安定に行われ、凝集物の抑制効果が大きい。また樹脂微粒子（Ｄ）のグリコール系溶剤ならびにエチレングリコールエーテル系溶剤への安定性を高める効果が大きく、インキの保存安定性・吐出性がより向上する。
スチレン、α‐メチルスチレンは併用することも可能であり、その場合相乗的な効果が期待できる。
【００２９】
炭素数１〜４のアルキル基含有エチレン性不飽和単量体（Ｂ）は、その構造中にエチレン性不飽和結合を１つ有する単量体であって、樹脂微粒子（Ｄ）の成膜性を制御し、ひいては印字物の塗膜物性（耐摩擦性、耐溶剤性、光沢・明度）を向上させる働きをする。
【００３０】
炭素数１〜４のアルキル基含有エチレン性不飽和単量体（Ｂ）としては例えば、
メチル（メタ）アクリレート、エチル（メタ）アクリレート、プロピル（メタ）アクリレート、ｎ−ブチル（メタ）アクリレート、イソブチル（メタ）アクリレート、ｔーブチル（メタ）アクリレート等の直鎖または分岐アルキル基含有エチレン性不飽和単量体が挙げられる。
【００３１】
樹脂微粒子（Ｄ）を得るために用いられるエチレン性不飽和単量体の合計１００重量％中、炭素数１〜４のアルキル基含有エチレン性不飽和単量体（Ｂ）の含有量は、４０〜９５重量％であることが好ましく、さらには５０〜８０重量％であることがより好ましい。含有量が４０重量％未満であると、本発明の樹脂微粒子（Ｄ）の成膜性を制御する効果が低くなる場合がある。また、含有量が９５重量％を超えると、乳化重合時に凝集物が発生しやすく、インキ組成物の吐出安定性に悪影響をもたらす上、印字物の印刷適性、耐水性、耐溶剤性が低下する場合がある。
【００３２】
架橋性エチレン性不飽和単量体（Ｃ）は、樹脂微粒子内部を架橋する事で樹脂微粒子（Ｄ）のインキ組成物中での安定性をさらに向上させる働きをする。
架橋性エチレン性不飽和単量体（Ｃ）としては、例えば、
アリル（メタ）アクリレート、ビニル（メタ）アクリレート、エチレングリコールジ（メタ）アクリレート、ジエチレングリコールジ（メタ）アクリレート、トリエチレングリコールジ（メタ）アクリレート、ポリエチレングリコール（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、グリセリンジメタクリレート、ジメチロールトリシクロデカンジ（メタ）アクリレート、トリメチロールプロパントリ（メタ）アクリレート、ペンタエリスリトールトリ（メタ）アクリレート、ペンタエリストールテトラ（メタ）アクリレート、ジビニルベンゼン、アジピン酸ジビニル、イソフタル酸ジアリル、フタル酸ジアリル、マレイン酸ジアリル等の２個以上のエチレン性不飽和基を有するエチレン性不飽和単量体；
γ−メタクリロキシプロピルトリメトキシシラン、γ−メタクリロキシプロピルトリエトキシシラン、γ−メタクリロキシプロピルトリブトキシシラン、γ−メタクリロキシプロピルメチルジメトキシシラン、γ−メタクリロキシプロピルメチルジエトキシシラン、γ−アクリロキシプロピルトリメトキシシラン、γ−アクリロキシプロピルトリエトキシシラン、γ−アクリロキシプロピルメチルジメトキシシラン、γ−メタクリロキシメチルトリメトキシシラン、γ−アクリロキシメチルトリメトキシシラン、ビニルトリメトキシシラン、ビニルトリエトキシシラン、ビニルトリブトキシシラン、ビニルメチルジメトキシシラン等のアルコキシシリル基含有エチレン性不飽和単量体；
Ｎ−メチロール（メタ）アクリルアミド、Ｎ，Ｎ−ジメチロール（メタ）アクリルアミド、アルキルエーテル化Ｎ−メチロール（メタ）アクリルアミド等のメチロール基含有エチレン性不飽和単量体が挙げられるが、特にこれらに限定されるものではない。これらは１種類または２種以上を併用して用いることができる。
【００３３】
架橋性エチレン性不飽和単量体（Ｃ）の含有量は、樹脂微粒子（Ｄ）を得るために用いられるエチレン性不飽和単量体の合計１００重量％中、０．１〜１０重量％であることが好ましく、さらには０．５〜８重量％であることがより好ましい。含有量が０．１重量％未満であると、インキ組成物の吐出安定性、保存安定性が得られない場合がある。一方、含有量が１０重量％を超えると、樹脂微粒子の成膜性が低下し、印字物の耐擦性、耐溶剤性が低下する場合がある。また、印字物の光沢や明度にも悪影響をおよぼす場合がある。
【００３４】
上記に挙げた架橋性エチレン性不飽和単量体の中でも、架橋性エチレン性不飽和単量体（Ｃ）は、アルコキシシリル基含有エチレン性不飽和単量体（Ｇ）または２個以上のアリル基を有する単量体（Ｈ）である事が好ましい。一般的に架橋性エチレン性不飽和単量体を使用すると、樹脂微粒子のインキ組成物中での安定性は増加するが、乾燥時の成膜性はやや低下してしまう傾向にある。しかしながら、これらの架橋性エチレン性不飽和単量体は、樹脂微粒子の乾燥時の成膜性を低下させる事がほとんど無く、グリコール系溶剤、エチレングリコールエーテル系溶剤といった保湿剤成分を含むインキ組成物中での安定性を向上させる事ができる。
【００３５】
アルコキシシリル基含有エチレン性不飽和単量体としては、例えば、γ−メタクリロキシプロピルトリメトキシシラン、γ−メタクリロキシプロピルトリエトキシシラン、γ−メタクリロキシプロピルトリブトキシシラン、γ−メタクリロキシプロピルメチルジメトキシシラン、γ−メタクリロキシプロピルメチルジエトキシシラン、γ−アクリロキシプロピルトリメトキシシラン、γ−アクリロキシプロピルトリエトキシシラン、γ−アクリロキシプロピルメチルジメトキシシラン、γ−メタクリロキシメチルトリメトキシシラン、γ−アクリロキシメチルトリメトキシシラン、ビニルトリメトキシシラン、ビニルトリエトキシシラン、ビニルトリブトキシシラン、ビニルメチルジメトキシシラン等が挙げられる。
【００３６】
２個以上のアリル基を有する単量体としては、例えば、イソフタル酸ジアリル、フタル酸ジアリル、マレイン酸ジアリル等が挙げられる。
【００３７】
本発明の樹脂微粒子（Ｄ）は、イオン性官能基を有さない芳香族エチレン性不飽和単量体（Ａ）および炭素数１〜４のアルキル基含有エチレン性不飽和単量体（Ｂ）架橋性エチレン性不飽和単量体（Ｃ）を含有するエチレン性不飽和単量体を水中にて界面活性剤の存在下、乳化重合することによって得ることが好ましい。
【００３８】
さらに、樹脂微粒子（Ｄ）を得るために用いられるエチレン性不飽和単量体には、上記のエチレン性単量体（Ａ）（Ｂ）（Ｃ）の他に、エチレン性単量体（Ａ）（Ｂ）（Ｃ）と共重合可能なエチレン性不飽和単量体が含有されてもよい。
【００３９】
エチレン性単量体（Ａ）（Ｂ）（Ｃ）と共重合可能なエチレン性単量体としては例えばペンチル（メタ）アクリレート、ヘプチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、テトラデシル（メタ）アクリレート等の直鎖または分岐アルキル基含有エチレン性不飽和単量体；
シクロヘキシル（メタ）アクリレート、イソボニル（メタ）アクリレート等の脂環式アルキル基含有エチレン性不飽和単量体；
トリフルオロエチル（メタ）アクリレート、ヘプタデカフルオロデシル（メタ）アクリレート等のフッ素化アルキル基含有エチレン性不飽和単量体；
（メタ）アクリロニトリル等のニトリル基含有エチレン性不飽和単量体；
グリシジル（メタ）アクリレート、３，４−エポキシシクロヘキシル（メタ）アクリレートなどのエポキシ基含有エチレン性不飽和単量体；
（２−ヒドロキシエチル）メタクリレートアッシドホスフェート、などのリン酸基含有エチレン性不飽和単量体；
マレイン酸、フマル酸、イタコン酸、シトラコン酸、または、これらのアルキルもしくはアルケニルモノエステル、フタル酸β−（メタ）アクリロキシエチルモノエステル、イソフタル酸β−（メタ）アクリロキシエチルモノエステル、テレフタル酸β−（メタ）アクリロキシエチルモノエステル、コハク酸β−（メタ）アクリロキシエチルモノエステル、アクリル酸、メタクリル酸、クロトン酸、けい皮酸などをのカルボキシル基を含むエチレン性不飽和単量体；
スチレンスルホン酸、スチレンスルホン酸ナトリウム、スチレンスルホン酸アンモニウム、２−アクリルアミド２−メチルプロパンスルホン酸、２−アクリルアミド２−メチルプロパンスルホン酸ナトリウム、メタリルスルホン酸、メタリルスルホン酸、メタリルスルホン酸ナトリウム、アリルスルホン酸、アリルスルホン酸ナトリウム、アリルスルホン酸アンモニウム、ビニルスルホン酸、アリルオキシベンゼンスルホン酸、アリルオキシベンゼンスルホン酸ナトリウム、アリルオキシベンゼンスルホン酸アンモニウム等のスルホン酸基含有エチレン性不飽和単量体；
（メタ）アクリルアミド、Ｎ−メトキシメチル−（メタ）アクリルアミド、Ｎ−エトキシメチル−（メタ）アクリルアミド、Ｎ−プロポキシメチル−（メタ）アクリルアミド、Ｎ−ブトキシメチル−（メタ）アクリルアミド、Ｎ−ペントキシメチル−（メタ）アクリルアミド、Ｎ，Ｎ−ジ（メトキシメチル）アクリルアミド、Ｎ−エトキシメチル−Ｎ−メトキシメチルメタアクリルアミド、Ｎ，Ｎ−ジ（エトキシメチル）アクリルアミド、Ｎ−エトキシメチル−Ｎ−プロポキシメチルメタアクリルアミド、Ｎ，Ｎ−ジ（プロポキシメチル）アクリルアミド、Ｎ−ブトキシメチル−Ｎ−（プロポキシメチル）メタアクリルアミド、Ｎ，Ｎ−ジ（ブトキシメチル）アクリルアミド、Ｎ−ブトキシメチル−Ｎ−（メトキシメチル）メタアクリルアミド、Ｎ，Ｎ−ジ（ペントキシメチル）アクリルアミド、Ｎ−メトキシメチル−Ｎ−（ペントキシメチル）メタアクリルアミド、Ｎ，Ｎ−ジメチルアミノプロピルアクリルアミド、Ｎ，Ｎ−ジエチルアミノプロピルアクリルアミド、Ｎ，Ｎ−ジメチルアクリルアミド、Ｎ，Ｎ−ジエチルアクリルアミド、ダイアセトン（メタ）アクリルアミド等のアミド基含有エチレン性不飽和単量体；
２−ヒドロキシエチル（メタ）アクリレート、２−ヒドロキシプロピル（メタ）アクリレート、４−ヒドロキシブチル（メタ）アクリレート、グリセロールモノ（メタ）アクリレート、４−ヒドロキシビニルベンゼン、１−エチニル−１−シクロヘキサノール、アリルアルコール等のヒドロキシル基含有エチレン性不飽和単量体；
ポリエチレングリコールモノ（メタ）アクリレート（日本油脂社製、ブレンマーＰＥ−９０、２００、３５０、３５０Ｇ、ＡＥ−９０、２００、４００等）ポリエチレングリコール・ポリプロピレングリコールモノ（メタ）アクリレート（日本油脂社製、ブレンマー５０ＰＥＰ−３００、７０ＰＥＰ−３５０等）、メトキシポリエチレングリコールモノ（メタ）アクリレート（日本油脂社製、ブレンマーＰＭＥ−１００、２００、４００、５５０、１０００、４０００等）等のポリエチレンオキサイド基含有エチレン性不飽和単量体；
等が挙げられる。
これらのエチレン性不飽和単量体は１種を単独で使用しても、複数種を混合して用いても良い。
【００４０】
これらエチレン性不飽和単量体のうち、カルボキシル基含有エチレン性不飽和単量体、スルホン酸基含有エチレン性不飽和単量体、アミド基含有エチレン性不飽和単量体などの水溶性エチレン性不飽和単量体は、乳化重合初期に粒子核形成を安定化させる働き、インキ中の保湿剤成分に対する安定性を高める働きがあるため、本発明の樹脂微粒子（Ｃ）の合成に使用することがより好ましい。
【００４１】
ただし、これら水溶性エチレン性不飽和単量体のうち、芳香環を含むエチレン性不飽和単量体は、イオン性官能基を有さない芳香族エチレン性不飽和単量体（Ａ）と同様に印字物の塗膜物性（特に光沢・明度）を悪化させてしまうおそれがあるため、含有量は５重量％以下であることが好ましい。
【００４２】
上記に記載した範囲の各種エチレン性不飽和単量体を乳化重合させてなる樹脂微粒子（Ｄ）は、分散安定性に大変優れるため、粒子径を小さく、かつ高固形分にしても水分散体が低粘度であり、ノズル詰まりの原因となる凝集物も非常に少ない。また、インキ組成物に使用されるグリコール系溶剤およびエチレングリコールエーテル系溶剤に対しても、混合時に凝集する事もなく、経時安定性に優れる。その一方で、乾燥時にはこれらの溶剤を含むインク組成物中での成膜性が大変良好である事から、印字物は優れた塗膜耐性を発現する。
【００４３】
樹脂微粒子（Ｄ）のガラス転移温度（Ｔｇ）は４０〜１２０℃であることが好ましい。ガラス転移温度（Ｔｇ）が４０℃未満であると、印字物の耐水性や耐溶剤性が十分に発現しない場合がある。ガラス転移温度（Ｔｇ）が１２０℃を超えると、樹脂微粒子（Ｄ）の成膜性が悪くなり印字物の耐擦性や耐水性、耐溶剤性が悪化する場合がある
上記のガラス転移温度（Ｔｇ）は、ＤＳＣ（示差走査熱量計）を用いて求めた値である
【００４４】
インキ調製時において、本発明で使用する樹脂微粒子（Ｄ）は水分散体の形態で使用するわけであるが、樹脂微粒子（Ｄ）の水分散体は、２５℃、固形分（以下、固形分を「ＮＶ」と略記する場合がある）４０重量％の条件下において測定した粘度が、５〜５００ｍＰａ・ｓである事が好ましい。粘度が５ｍＰａ・ｓ未満の樹脂微粒子水分散体は、平均粒子径が１５０〜３５０ｎｍの範囲では調製が困難であり、粘度が５００ｍＰａ・ｓを超えると、インキ組成物が増粘して吐出性が悪化したり、印字物の印刷適性にも悪影響を及ぼす場合がある。
ここで言う粘度とは、２５℃、水分散体の固形分４０重量％の条件下において、二重円筒型粘度計（ＢＬ型粘度計）を用いて測定した値である。
固形分４０重量％の樹脂微粒子水分散体の調製は、重合反応が完結した時の固形分が４０重量％になるように原料を仕込んでも良いし、高固形分となるように合成したものを水で４０重量％まで希釈するか、もしくは低固形分となるように合成したものを、ストリッピング等の操作で４０重量％まで濃縮して調製しても良い。
【００４５】
本発明に使用する樹脂微粒子（Ｄ）は、従来既知の乳化重合方法により合成される。乳化重合法とは、水、乳化剤を仕込んだ反応釜を加熱し、合成前に予めエチレン性不飽和単量体、水、乳化剤を乳化させた乳化液（プレエマルジョン）を滴下しながらラジカル重合反応を行う方法である。反応釜には必要に応じてプレエマルジョンを一部仕込む場合もある。また、プレエマルジョンを作製する際には、回転式攪拌装置（新東科学株式会社製スリーワンモーター）の回転速度２００〜３００ｒｐｍ／１０〜２０分の乳化条件にて作製するのが一般的であるが、必要に応じて回転式攪拌装置（特殊機化株式会社製Ｔ.Ｋ．ホモミキサー）などの高速攪拌装置を用いて、回転速度５０００〜１２０００ｒｐｍ／１０〜３０分の強制乳化条件にて作製する方法（以下、「ミニエマルジョン法」ともいう。）を用いてもよい。
【００４６】
本発明の樹脂微粒子（Ｄ）は、このミニエマルジョン法を用いることによって粗大粒子量が低減する効果があるため好ましく使用される。
【００４７】
本発明において乳化重合の際に用いられる乳化剤としては、エチレン性不飽和基を有する反応性乳化剤やエチレン性不飽和基を有しない非反応性乳化剤など、従来公知のものを任意に使用することができる。
【００４８】
エチレン性不飽和基を有する反応性乳化剤はさらに大別して、アニオン系、非イオン系のノニオン系のものが例示できる。特にエチレン性不飽和基を有するアニオン系反応性乳化剤若しくはノニオン系反応性乳化剤を用いると、共重合体の分散粒子径が微細となるとともに粒度分布が狭くなるため、水性インクジェットインキ用バインダー樹脂として使用した際に耐摩擦性や耐アルコール性を向上することができ好ましい。このエチレン性不飽和基を有するアニオン系反応性乳化剤もしくはノニオン系反応性乳化剤は、１種を単独で使用しても、複数種を混合して用いても良い。
【００４９】
エチレン性不飽和基を有するアニオン系反応性乳化剤の一例として、以下にその具体例を例示するが、本発明において使用可能とする乳化剤は、以下に記載するもののみを限定するものではない。前記乳化剤としては、アルキルエーテル系（市販品としては、例えば、第一工業製薬株式会社製アクアロンＫＨ−０５、ＫＨ−１０、ＫＨ−２０、株式会社ＡＤＥＫＡ製アデカリアソープＳＲ−１０Ｎ、ＳＲ−２０Ｎ、花王株式会社製ラテムルＰＤ−１０４など）；
スルフォコハク酸エステル系（市販品としては、例えば、花王株式会社製ラテムルＳ−１２０、Ｓ−１２０Ａ、Ｓ−１８０Ｐ、Ｓ−１８０Ａ、三洋化成株式会社製エレミノールＪＳ−２など）；
アルキルフェニルエーテル系もしくはアルキルフェニルエステル系（市販品としては、例えば、第一工業製薬株式会社製アクアロンＨ−２８５５Ａ、Ｈ−３８５５Ｂ、Ｈ−３８５５Ｃ、Ｈ−３８５６、ＨＳ−０５、ＨＳ−１０、ＨＳ−２０、ＨＳ−３０、株式会社ＡＤＥＫＡ製アデカリアソープＳＤＸ−２２２、ＳＤＸ−２２３、ＳＤＸ−２３２、ＳＤＸ−２３３、ＳＤＸ−２５９、ＳＥ−１０Ｎ、ＳＥ−２０Ｎ、など）；
（メタ）アクリレート硫酸エステル系（市販品としては、例えば、日本乳化剤株式会社製アントックスＭＳ−６０、ＭＳ−２Ｎ、三洋化成工業株式会社製エレミノールＲＳ−３０など）；
リン酸エステル系（市販品としては、例えば、第一工業製薬株式会社製Ｈ−３３３０ＰＬ、株式会社ＡＤＥＫＡ製アデカリアソープＰＰ−７０など）が挙げられる。
【００５０】
本発明で用いることのできるノニオン系反応性乳化剤としては、例えばアルキルエーテル系（市販品としては、例えば、株式会社ＡＤＥＫＡ製アデカリアソープＥＲ−１０、ＥＲ−２０、ＥＲ−３０、ＥＲ−４０、花王株式会社製ラテムルＰＤ−４２０、ＰＤ−４３０、ＰＤ−４５０など）；
アルキルフェニルエーテル系もしくはアルキルフェニルエステル系（市販品としては、例えば、第一工業製薬株式会社製アクアロンＲＮ−１０、ＲＮ−２０、ＲＮ−３０、ＲＮ−５０、株式会社ＡＤＥＫＡ製アデカリアソープＮＥ−１０、ＮＥ−２０、ＮＥ−３０、ＮＥ−４０など）；
（メタ）アクリレート硫酸エステル系（市販品としては、例えば、日本乳化剤株式会社製ＲＭＡ−５６４、ＲＭＡ−５６８、ＲＭＡ−１１１４など）が挙げられる。
【００５１】
本発明の樹脂微粒子（Ｄ）を乳化重合により得るに際しては、前記したエチレン性不飽和基を有する反応性乳化剤とともに、必要に応じエチレン性不飽和基を有しない非反応性乳化剤を併用することができる。非反応性乳化剤は、非反応性アニオン系乳化剤と非反応性ノニオン系乳化剤とに大別することができる。
【００５２】
非反応性ノニオン系乳化剤の例としては、ポリオキシエチレンラウリルエーテル、ポリオキシエチレンステアリルエーテルなどのポリオキシエチレンアルキルエーテル類；
ポリオキシエチレンオクチルフェニルエーテル、ポリオキシエチレンノニルフェニルエーテルなどのポリオキシエチレンアルキルフェニルエーテル類；
ソルビタンモノラウレート、ソルビタンモノステアレート、ソルビタントリオレエートなどのソルビタン高級脂肪酸エステル類；
ポリオキシエチレンソルビタンモノラウレートなどのポリオキシエチレンソルビタン高級脂肪酸エステル類；
ポリオキシエチレンモノラウレート、ポリオキシエチレンモノステアレートなどのポリオキシエチレン高級脂肪酸エステル類；
オレイン酸モノグリセライド、ステアリン酸モノグリセライドなどのグリセリン高級脂肪酸エステル類；
ポリオキシエチレン・ポリオキシプロピレン・ブロックコポリマー、ポリオキシエチレンジスチレン化フェニルエーテルなどを例示することができる。
【００５３】
また、非反応性アニオン系乳化剤の例としては、オレイン酸ナトリウムなどの高級脂肪酸塩類；
ドデシルベンゼンスルホン酸ナトリウムなどのアルキルアリールスルホン酸塩類；
ラウリル硫酸ナトリウムなどのアルキル硫酸エステル塩類；
ポリエキシエチレンラウリルエーテル硫酸ナトリウムなどのポリオキシエチレンアルキルエーテル硫酸エステル塩類；
ポリオキシエチレンノニルフェニルエーテル硫酸ナトリウムなどのポリオキシエチレンアルキルアリールエーテル硫酸エステル塩類；
モノオクチルスルホコハク酸ナトリウム、ジオクチルスルホコハク酸ナトリウム、ポリオキシエチレンラウリルスルホコハク酸ナトリウムなどのアルキルスルホコハク酸エステル塩およびその誘導体類；
ポリオキシエチレンジスチレン化フェニルエーテル硫酸エステル塩類などを例示することができる。
【００５４】
乳化重合時に使用する乳化剤量はエチレン性不飽和単量体の合計１００重量部に対して、０．５〜２．０重量部である事が好ましい。乳化剤量が０．５重量部未満であると、乳化重合時に凝集物が多くなり、樹脂微粒子（Ｄ）の安定化が不十分となってしまう場合がある。一方で乳化剤量が２．０重量部を超えると、低分子量の溶出成分が多くなり、印字物の耐溶剤性が悪化する場合がある。
【００５５】
本発明で使用する樹脂微粒子（Ｄ）水分散体の乳化重合に際して用いられる水性媒体としては、水が挙げられ、親水性の有機溶剤も本発明の目的を損なわない範囲で使用することができる。
【００５６】
本発明で使用する樹脂微粒子（Ｄ）水分散体を得るに際して用いられる重合開始剤としては、ラジカル重合を開始する能力を有するものであれば特に制限はなく、公知の油溶性重合開始剤や水溶性重合開始剤を使用することができる。油溶性重合開始剤としては特に限定されず、例えば、ベンゾイルパーオキサイド、ｔｅｒｔ−ブチルパーオキシベンゾエート、ｔｅｒｔ−ブチルハイドロパーオキサイド、ｔｅｒｔ−ブチルパーオキシ（２−エチルヘキサノエート）、ｔｅｒｔ−ブチルパーオキシ−３，５，５−トリメチルヘキサノエート、ジ−ｔｅｒｔ−ブチルパーオキサイドなどの有機過酸化物；
２，２’−アゾビスイソブチロニトリル、２，２’−アゾビス−２，４−ジメチルバレロニトリル、２，２’−アゾビス（４−メトキシ−２，４−ジメチルバレロニトリル）、１，１’−アゾビス−シクロヘキサン−１−カルボニトリルなどのアゾビス化合物を挙げることができる。これらは１種類または２種類以上を混合して使用することができる。これら重合開始剤は、エチレン性不飽和単量体１００重量部に対して、０．１〜１０．０重量部の量を用いるのが好ましい。
【００５７】
本発明においては水溶性重合開始剤を使用することが好ましく、例えば、過硫酸アンモニウム、過硫酸カリウム、過酸化水素、２，２’−アゾビス（２−メチルプロピオンアミジン）ジハイドロクロライドなど、従来既知のものを好適に使用することができる。また、乳化重合を行うに際して、所望により重合開始剤とともに還元剤を併用することができる。これにより、乳化重合速度を促進したり、低温において乳化重合を行ったりすることが容易になる。このような還元剤としては、例えば、アスコルビン酸、エルソルビン酸、酒石酸、クエン酸、ブドウ糖、ホルムアルデヒドスルホキシラートなどの金属塩等の還元性有機化合物、チオ硫酸ナトリウム、亜硫酸ナトリウム、重亜硫酸ナトリウム、メタ重亜硫酸ナトリウムなどの還元性無機化合物、塩化第一鉄、ロンガリット、二酸化チオ尿素などを例示できる。これら還元剤は、エチレン性不飽和単量体１００重量部に対して、０．０５〜５．０重量部の量を用いるのが好ましい。なお、前記した重合開始剤によらずとも、光化学反応や、放射線照射等によっても重合を行うことができる。重合温度は各重合開始剤の重合開始温度以上とする。例えば、過酸化物系重合開始剤では、通常７０℃程度とすればよい。重合時間は特に制限されないが、通常２〜２４時間である。
【００５８】
さらに必要に応じて、緩衝剤として、酢酸ナトリウム、クエン酸ナトリウム、重炭酸ナトリウムなどが、また、連鎖移動剤としてのオクチルメルカプタン、チオグリコール酸２−エチルヘキシル、チオグリコール酸オクチル、ステアリルメルカプタン、ラウリルメルカプタン、ｔ−ドデシルメルカプタンなどのメルカプタン類が適量使用できる。
乳化重合終了後に得られた樹脂微粒子（Ｄ）水分散体について、塩基性化合物で中和することができる。中和する際、アンモニアもしくはトリメチルアミン、トリエチルアミン、ブチルアミンなどのアルキルアミン類；
２−ジメチルアミノエタノール、２−ジエチルアミノエタノール、ジエタノールアミン、トリエタノールアミン、アミノメチルプロパノールなどのアルコールアミン類；
モルホリン
等の塩基で中和することができる。
【００５９】
本発明の水性インクジェット用インキ組成物は、樹脂微粒子（Ｄ）の他に、水、保湿溶剤、更には顔料、染料等からなる着色剤を配合してなる。顔料、染料等からなる着色剤は、自己分散型の分散体であっても、マイクロカプセルのように樹脂分散型の分散体であっても良い。その中でも特に本発明の水性インクジェット用インキ組成物は、顔料、顔料分散樹脂、水、保湿溶剤等を配合することが好ましい。
【００６０】
本発明の水性インクジェット用インキ組成物は、上記の樹脂微粒子（Ｄ）水分散体を固形分換算で１〜２０重量％使用するのが好ましく、２〜１５重量％使用するのがより好ましい。樹脂微粒子（Ｄ）水分散体が固形分換算で１重量％未満であると、被印刷体上と顔料粒子、もしくは顔料粒子同士の結着が不十分となり、印字物の耐擦性や耐水性が低下する場合がある。一方、樹脂微粒子（Ｄ）水分散体が固形分換算で２０重量％を超えると、インキ組成物の粘度が上昇し、吐出性に悪影響を及ぼす場合がある。
【００６１】
顔料としては、例えば、カーボンブラック、酸化チタン、炭酸カルシウム等の無彩色の顔料または有彩色の有機顔料が使用できる。有機顔料としては、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が挙げられる。
【００６２】
有機顔料をカラーインデックス（Ｃ．Ｉ．）ナンバーで例示すると、Ｃ．Ｉ．ピグメントエロー１２、１３、１４、１７、２０、２４、７４、８３、８６  ９３、１０９、１１０、１１７、１２０、１２５、１２８、１２９、１３７、１３８、１３９、１４７、１４８、１５０、１５１、１５３、１５４、１５５、１６６、１６８、１８０、１８５、Ｃ．Ｉ．ピグメントオレンジ１６、３６、４３、５１、５５、５９、６１、Ｃ．Ｉ．ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６等が挙げられる。
【００６３】
カーボンブラックの具体例としては、デグサ社製「Ｓｐｅｃｉａｌ  Ｂｌａｃｋ３５０、２５０、１００、５５０、５、４、４Ａ、６」「ＰｒｉｎｔｅｘＵ、Ｖ、１４０Ｕ、１４０Ｖ、９５、９０、８５、８０、７５、５５、４５、４０、Ｐ、６０、Ｌ６、Ｌ、３００、３０、３、３５、２５、Ａ、Ｇ」、キャボット社製「ＲＥＧＡＬ４００Ｒ、６６０Ｒ、３３０Ｒ、２５０Ｒ」「ＭＯＧＵＬ  Ｅ、Ｌ」、三菱化学社製「ＭＡ７、８、１１、７７、１００、１００Ｒ、１００Ｓ、２２０、２３０」「＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃７５０、＃６５０、＃５２、＃５０、＃４７、＃４５、＃４５Ｌ、＃４４、＃４０、＃３３、＃３３２、＃３０、＃２５、＃２０、＃１０、＃５、ＣＦ９、＃９５、＃２６０」等が挙げられる。
酸化チタンの具体例としては、石原産業社製「タイペークＣＲ−５０、５０−２、５７、８０、９０、９３、９５、９５３、９７、６０、６０−２、６３、６７、５８、５８−２、８５」「タイペークＲ−８２０，８３０、９３０、５５０、６３０、６８０、６７０、５８０、７８０、７８０−２、８５０、８５５」「タイペークＡ−１００、２２０」「タイペークＷ−１０」「タイペークＰＦ−７４０、７４４」「ＴＴＯ−５５（Ａ）、５５（Ｂ）、５５（Ｃ）、５５（Ｄ）、５５（Ｓ）、５５（Ｎ）、５１（Ａ）、５１（Ｃ）」「ＴＴＯ−Ｓ−１、２」「ＴＴＯ−Ｍ−１、２」、テイカ社製「チタニックスＪＲ−３０１、４０３、４０５、６００Ａ、６０５、６００Ｅ、６０３、８０５、８０６、７０１、８００、８０８」「チタニックスＪＡ−１、Ｃ、３、４、５」、デュポン社製「タイピュアＲ−９００、９０２、９６０、７０６、９３１」などが挙げられる。イエロー、マゼンタ、シアン、ブラックなどの有機顔料は、水性インクジェットインキ１００重量％中に通常０．２〜１５重量％、好ましくは０．５〜１０重量％用いられる。また、白の酸化チタンの場合は通常５〜５０重量％、好ましくは１０〜４５重量％の割合で配合することが好ましい。
【００６４】
顔料分散樹脂としては、水系での分散安定化の観点から、カルボキシル基を有する水溶性樹脂が好ましく、例えばアクリル系、スチレン−アクリル系、ポリエステル系、ポリアミド系、ポリウレタン系の樹脂が挙げられる。これらの樹脂は、市販品を使用しても構わない。市販品としては、例えば、ＢＡＳＦ社製ＪＯＮＣＲＹＬ６７、ＪＯＮＣＲＹＬ６７８、ＪＯＮＣＲＹＬ５８６、ＪＯＮＣＲＹＬ６１１、ＪＯＮＣＲＹＬ６８３、ＪＯＮＣＲＹＬ６９０、ＪＯＮＣＲＹＬ５７Ｊ、ＪＯＮＣＲＹＬ６０Ｊ、ＪＯＮＣＲＹＬ６１Ｊ、 ＪＯＮＣＲＹＬ６２Ｊ、ＪＯＮＣＲＹＬ６３Ｊ、ＪＯＮＣＲＹＬＨＰＤ‐９６Ｊ、ＪＯＮＣＲＹＬ５０１Ｊ、ＪＯＮＣＲＹＬＰＤＸ‐６１０２Ｂ、ビックケミー社製ＤＩＳＰＥＲＢＹＫ、ＤＩＳＰＥＲＢＹＫ１８０、ＤＩＳＰＥＲＢＹＫ１８７、ＤＩＳＰＥＲＢＹＫ１９０、ＤＩＳＰＥＲＢＹＫ１９１、ＤＩＳＰＥＲＢＹＫ１９４、ＤＩＳＰＥＲＢＹＫ２０１０、ＤＩＳＰＥＲＢＹＫ２０１５、ＤＩＳＰＥＲＢＹＫ２０９０、ＤＩＳＰＥＲＢＹＫ２０９１、ＤＩＳＰＥＲＢＹＫ２０９５、ＤＩＳＰＥＲＢＹＫ２１５５、ゼネカ社製ＳＯＬＳＰＥＲＳ４１０００、サートマー社製、ＳＭＡ１０００Ｈ、ＳＭＡ１４４０Ｈ、ＳＭＡ２０００Ｈ、ＳＭＡ３０００Ｈ、ＳＭＡ１７３５２Ｈ等が挙げられる。
【００６５】
顔料分散樹脂は、顔料１０重量部に対して０．５〜２０重量部、好ましくは１〜１０重量部の範囲で用いられる。顔料分散樹脂が顔料１０重量部に対して０．５重量部未満であると顔料分散安定性が低下し、インキ組成物の経時安定性に問題を生ずる場合がある。一方、顔料分散樹脂が顔料１０重量部に対して２０重量部を超えるとインキ組成物の粘度が上昇し、吐出性に悪影響を及ぼす場合がある。
【００６６】
本発明の水性インクジェット用インキ組成物はグリコール系溶剤（Ｅ）ならびにエチレングリコールエーテル系溶剤（Ｆ）を含む事が好ましい。これらの溶剤はインキ組成物中で保湿剤ならびに浸透剤として添加される。グリコール系溶剤（Ｅ）は、インキの表面張力を下げる他に、樹脂微粒子（Ｄ）の乾燥性を改善する働きをする。グリコール系溶剤（Ｅ）を使用しないと樹脂微粒子（Ｄ）が乾燥しやすくなり、インキ組成物のノズル詰まりが発生してしまう。また、エチレングリコールエーテル系溶剤（Ｆ）は、インキ自体の表面張力を下げ、難吸収性基材上でのインキ液滴の濡れ広がりを改善する他に、乾燥時の樹脂微粒子（Ｄ）の造膜を促進させる働きをする。エチレングリコールエーテル系溶剤（Ｆ）を使用しないと、樹脂微粒子（Ｄ）の成膜性が大きく低下して印字物の物性に悪影響を及ぼす。インキ自体の表面張力を下げることで、難吸収性基材上でのインキ液滴の濡れ広がりを改善する事が目的であるインキ組成物中において、樹脂微粒子の分散安定性を維持した上で、乾燥時の十分な成膜性を発現させるためには、樹脂微粒子の組成と保湿剤成分の組み合わせが非常に重要である。グリコール系溶剤（Ｅ）ならびにエチレングリコールエーテル系溶剤（Ｆ）を含むインキ組成物において、樹脂微粒子（Ｄ）は、保湿剤性分に侵されて分散安定性が低下する事がほとんど無い。そのため、インキ組成物の保存安定性、吐出性には大変優れている。一方で、乾燥時には、樹脂微粒子（Ｄ）の成膜性を促進するので、印字物は良好な塗膜耐性を発現する。
【００６７】
グリコール系溶剤（Ｅ）としては、例えば、エチレングリコール、１，３−プロパンジオール、プロピレングリコール、１，２−ブタンジオール、１，４−ブタンジオール、ペンチレングリコール、１，２−ヘキサンジオール、１，６−ヘキサンジオール、ジエチレングリコール、トリエチレングリコール、テトラエチレングリコール等が挙げられる。
【００６８】
エチレングリコールエーテル系溶剤（Ｆ）としては、例えば、メチルグリコール、メチルジグリコール、メチルトリグリコール、イソプロピルジグリコール、ブチルグリコール、ブチルジグリコール、ブチルトリグリコール、イソブチルグリコール、イソブチルジグリコール、ヘキシルグリコール、ヘキシルジグリコール、エチレングリコールジメチルエーテル、ジエチレングリコールジメチルエーテル、トリエチレングリコールジメチルエーテル、テトラエチレングリコールジメチルエーテル等が挙げられる。
これらの保湿剤成分は１種を単独で使用しても、複数種を混合して用いても良い。
【００６９】
水性インクジェット用インキ組成物１００重量％中において、グリコール系溶剤（Ｅ）は、１０〜４０重量％含有していることが好ましい。グリコール系溶剤（Ｅ）の含有量が１０重量％未満であると樹脂微粒子（Ｄ）の成膜性が不十分になる上、インキ組成物が乾燥しやすくなり、ノズル詰まりが発生してしまう場合がある。一方、グリコール系溶剤（Ｅ）の含有量が４０重量％を超えると、印字物の乾燥性が不十分となり、印字物の印刷適性、密着性、耐溶剤性に悪影響が出てしまう場合がある。
【００７０】
更に水性インクジェット用インキ組成物１００重量％中において、エチレングリコールエーテル系溶剤（Ｆ）を０．１〜１５重量％含有していることが好ましく、より好ましくは０．１〜５重量％の範囲内である。エチレングリコールエーテル系溶剤（Ｆ）の含有量が０．１重量％未満であると樹脂微粒子の成膜性が不十分となり、印字物の密着性、耐溶剤性が悪化する場合がある。一方、エチレングリコールエーテル系溶剤（Ｆ）の含有量が１５重量％を超えると、インキ組成物中での樹脂微粒子（Ｄ）の分散安定性が悪化してしまい、インキの保存安定性、吐出性、印字物の印刷適性に悪影響を及ぼす可能性がある。
【００７１】
本発明の水性インクジェット用インキ組成物は上記に挙げたグリコール系溶剤（Ｅ）ならびにエチレングリコールエーテル系溶剤（Ｆ）に加えて、表面張力や浸透性を調整する目的で、その他の保湿剤を併用してもかまわない。
【００７２】
併用できるその他の保湿剤としてはＮ−メチル−２−ピロリドン、Ｎ−ヒドロキシエチル−２−ピロリドン、２−ピロリドン、ε−カプロラクタム等のラクタム系化合物；
ホルムアミド、Ｎ−メチルホルムアミド、Ｎ，Ｎ−ジメチルホルムアミド、出光製エクアミドＭ−１００、エクアミドＢ−１００等のアミド系化合物；
等があげられる。
【００７３】
保湿剤成分全体としては、水性インクジェット用インキ組成物１００重量％中に通常１０〜６０重量％、好ましくは２０〜５０重量％用いられる。保湿剤成分が１０重量％未満であると、ノズルでのインキ組成物の乾燥により吐出性に問題を生ずる場合がある。一方、保湿剤成分が６０重量％を超えると、印字物の乾燥性が不十分となり、塗膜耐性に悪影響が出てしまう場合がある。
【００７４】
本発明の水性インクジェット用インキ組成物を好適に塗布し得る基材としては、例えば、上質紙等の浸透系基材、アート紙、コート紙、ポリ塩化ビニルシート等の非浸透系基材が挙げられる。
【００７５】
本発明の水性インクジェット用インキ組成物を用いたインクジェット印刷方式としてはオンデマンド型の記録ヘッドを有するインクジェット方式が挙げられる。オンデマンド型としては、例えばピエゾ方式、サーマルインクジェット方式、静電方式等が例示されるが、ピエゾ方式が最も好ましい。
【００７６】
また、本発明の水性インクジェット用インキ組成物を用いての印刷に際しては、印字物の乾燥性および耐性を補強する目的で、印字工程に必要に応じて加熱乾燥工程を導入することができる。加熱乾燥工程を導入することでバインダー樹脂組成物の成膜性も向上する場合があり、適度な加熱処理は好ましい。加熱処理工程は印刷工程(インクジェット印字速度)に影響のない程度に用いることができ、例えば、４０〜１００℃で１〜２００秒の範囲で処理されることが一般的である。
【実施例】
【００７７】
以下に、実施例により本発明をさらに具体的に説明するが、以下の実施例は本発明の権利範囲を何ら制限するものではない。なお、実施例における「部」は「重量部」、「％」は「重量％」を表す。
［合成例１］
攪拌器、温度計、滴下ロート、還流器を備えた反応容器に、イオン交換水５５部を仕込み、別途、スチレン１３部、α‐メチルスチレン５部、メチルアクリレート２０部、エチルメタクリレート２０部、シクロヘキシルメタクリレート３３部、アクリル酸０．５部、アクリルアミド２部、２−ヒドロキシエチルメタクリレート０．５部、γ‐メタクリロキシプロピルトリエトキシシラン４部、Ｎ‐メチロールアクリルアミド２部、イオン交換水３０部および乳化剤としてアクアロンＫＨ−１０  １部をホモミキサーで攪拌混合して調製した乳化液を、１部分取して加えた。内温を７０℃に昇温し十分に窒素置換した後、過硫酸カリウムの５％水溶液４．０部、および無水重亜硫酸ナトリウムの１％水溶液５．０部を添加して重合を開始した。反応開始後、内温を７５℃に保ちながら上記の乳化液の残りと過硫酸カリウムの５％水溶液１．５部、および無水重亜硫酸ナトリウムの１％水溶液５．８部を１．５時間かけて滴下し、さらに２時間攪拌を継続した。反応終了後、温度を３０℃まで冷却し、ジメチルアミノエタノールを添加して、ｐＨを８．９とした。さらにイオン交換水で固形分を４０％に調整して樹脂微粒子（Ｄ）水分散体を得た。得られた樹脂微粒子（Ｄ）の平均粒子径は２４６nm、ガラス転移温度は６１℃、樹脂微粒子水分散体の粘度は８．１ｍＰａ・ｓであった。
【００７８】
［合成例２〜２０］
表１および表２に示す配合組成で、合成例１と同様の方法で合成し、樹脂微粒子（Ｄ）水分散体を得た。尚、粒子径調整のため、必要に応じて反応槽に仕込む界面活性剤、乳化剤量を変更して乳化重合をおこなった。得られた樹脂微粒子（Ｄ）水分散体の基礎物性として、凝集物の有無、ガラス転移温度（Ｔｇ）、平均粒子径、粗大粒子量、粘度について評価をおこなった。
【００７９】
［凝集物の有無］
樹脂微粒子（Ｄ）水分散体を１８０メッシュ（１００μｍ）のろ布で濾過し、合成時に発生する樹脂微粒子（Ｄ）水分散体１ｋｇ当たりの凝集物量を測定した。評価基準は以下の通りである。
○：０．１ｇ未満である
△：０．１ｇ以上、０．３ｇ未満である
×：０．３ｇ以上である
【００８０】
［ガラス転移温度（Ｔｇ）］
ガラス転移温度（Ｔｇ）は、ＤＳＣ（示差走査熱量計  ＴＡインスツルメント社製）により測定した。樹脂微粒子（Ｄ）水分散体を乾固したサンプル約２ｍｇをアルミニウムパン上で秤量し、該アルミニウムパンをＤＳＣ測定ホルダーにセットし、５℃／分の昇温条件にて得られるチャートの吸熱ピークを読み取り、ガラス転移温度（Ｔｇ）を得た。
【００８１】
［平均粒子径］
樹脂微粒子（Ｄ）水分散体を５００倍に水希釈し、該希釈液約５ｍｌを動的光散乱測定法（測定装置はマイクロトラック（株）日機装製）により測定をおこなった。この時得られた体積粒子径分布データ（ヒストグラム）のピークを平均粒子径とした。
【００８２】
［粗大粒子量］
樹脂微粒子（Ｄ）水分散体を１５０００倍に水希釈し、該希釈液約２０ｍｌを個数カウント方式粒子径測定装置（Ａｃｃｕｓｉｚｅｒ  ＳＩＳ／ＳＷ７８８測定装置、インターナショナルビジネス株式会社製）により測定をおこなった。この時得られた個数平均粒子径分布データ（ヒストグラム）をもとに、１．５〜５μｍ、５〜１０μｍの粗大粒子量を算出した。
【００８３】
［粘度］
重円筒型粘度計（ＢＬ型粘度計 ＴＯＫＩＭＥＣ製）で温度２５℃、ローターNo.1、回転数３０ｒｐｍ、樹脂微粒子水分散体の固形分４０重量％の条件下において、樹脂微粒子（Ｄ）水分散体の粘度を測定した。
【００８４】
【表１】
0005776249.tif 000002
【００８５】
【表２】
0005776249.tif 000003
【００８６】
＜濃縮顔料分散液の製造＞
［シアン顔料分散液の製造］
顔料［Lionogen Blue 7351東洋インキ社製］２０部、顔料分散樹脂［ＢＡＳＦ（株）社製  ジョンクリル６１Ｊ、固形分３０％水溶液］３０部、イオン交換水２９．３部、消泡剤[サーフィノール１０４Ｅ  日信化学工業製]０．５部をペイントコンディショナーにて２時間分散し、濃縮シアン顔料分散液を得た。
【００８７】
［マゼンタ顔料分散液の製造］
顔料をFastogen Super Magenta RGT  DIC社製  ２０部に変えた以外は、シアン顔料分散液と同様の方法で、濃縮マゼンタ顔料分散液を得た。
【００８８】
［イエロー顔料分散液の製造］
顔料をNovoperm Yellow H2G  クラリアント社製  ２０部に変えた以外は、シアン顔料分散液と同様の方法で、濃縮マゼンタ顔料分散液を得た。
【００８９】
［ブラック顔料分散液の製造］
顔料をPrintex 85  エボニックデグサ社製  ２０部に変えた以外は、シアン顔料分散液と同様の方法で、濃縮マゼンタ顔料分散液を得た。
【００９０】
[実施例１]
合成例１で得られた樹脂微粒子水分散体１２．５部に対して、上記のシアン顔料分散液２０部、保湿剤成分としてプロピレングリコール２８部、ヘキシルジグリコール２部、イオン交換水３７．５部を加えた後、混練して水性インクジェット用インキ組成物を得た。同様の調製をマゼンタ顔料分散液、イエロー顔料分散液、ブラック顔料分散液のそれぞれについてもおこない、４色の水性インクジェット用インキ組成物を得た。
【００９１】
［実施例２〜２５および比較例１〜９］
表３および表４に示す配合組成で、実施例１と同様の方法で調製し、水性インクジェット用インキ組成物を得た。
なお、本願において実施例４、５および１２〜１７は、参考例である。
【００９２】
【表３】
0005776249.tif 000004
【００９３】
【表４】
0005776249.tif 000005
【００９４】
［水性インクジェット用インキ組成物の評価］  
上記で調製した４色の水性インクジェット用インキ組成物を、２５℃環境下でセイコーアイ・インフォテック社製ソルベントインクインクジェットプリンタColor Painter 64SPlusに充填し、基材（コート紙、または塩ビ）を５０℃に加温しながら画像を印刷した。
インキ組成物について、保存安定性、ノズル抜けを評価した。ここで言うノズル抜けとは印字中(５０℃、常に新しいインキが供給される状態)に乾燥して印字できなくなる状態の事を指す。ノズル抜けがないと、吐出性が良好と言うことができる。
印刷後、８０℃、３分で加熱処理をおこない、評価用印字物を得た。これを用いて、密着性、耐擦性、耐水性、耐溶剤性、光沢、明度、ＯＤ値の各種塗膜物性を評価した。表５および表６にその結果を示す。
【００９５】
［保存安定性］
水性インクジェット用インキ組成物について、７０℃、６週間の条件下で、粘度の経時変化を評価した。粘度はレオメーター（ＴＡインスツルメンツ社製ＡＲ−２０００）を使用して測定した。評価基準は以下の通りである。
◎；インキの粘度変化が±０．２５ｍPa・ｓ未満である
○；インキの粘度変化が±０．２５ｍPa・ｓ以上、０．５ｍPa・ｓ未満である
△；インキの粘度変化が±０．５ｍPa・ｓ以上、１．０ｍPa・ｓ未満である
×；インキの粘度変化が±１．０ｍPa・ｓ以上である
【００９６】
［ノズル抜け］
上記のプリンタにて、印字中(５０℃、常に新しいインキが供給される状態)に乾燥してノズル詰まりが発生するまでの時間を評価した。評価基準は以下の通りである。尚、ノズル詰まりが発生した場合には評価を×とした。
○：３０分でノズル抜けが発生しない
△：１０〜３０分でノズル抜けが発生する
×：５分でノズル抜けが発生する
【００９７】
[密着性]
評価用印字物（コート紙、または塩ビ）の印字面にセロハンテープを貼り付けた後、低速で剥がした。評価基準は以下の通りである。
○：剥離物がセロハンテープに付着していない
×：剥離物がセロハンテープに付着している
【００９８】
[耐擦性]
評価用印字物（コート紙、または塩ビ）の印字面に学振耐摩試験機（テスター産業製  ＡＢ−３０１）で荷重２００ｇ/cm２（接触面はコート紙）の条件で５０回往復させて印字面の傷を評価した。評価基準は以下の通りである。
○：傷が無い状態である
△：傷は有るが基材は見えない
×：傷が多く基材が見える
【００９９】
[耐水性・耐溶剤性]
水、水/エタノール混合溶剤（重量比：５０/５０）、エタノールのいずれかを綿棒に浸し、評価用印字物（コート紙、または塩ビ）の印字面を５往復程ラビングした。評価基準は以下の通りである。
○：侵食が無く、綿棒にインキが付着していない
△：綿棒にインキは付着するが、基材表面が見えない
×：綿棒にインキが付着し、基材表面も見える
【０１００】
[光沢]
評価用印字物（コート紙、または塩ビ；インキはブラック）について、光沢計(BYK Gardner社製 Micro-TRI-gloss)にて６０°光沢を測定した。評価基準は以下の通りである。
◎：光沢１００以上である
○：光沢７０以上、１００未満である
△：光沢５５以上、７０未満である
×：光沢５５未満である
【０１０１】
[明度]
評価用印字物（コート紙、または塩ビ；インキはブラック）について、色差計（ＳＥ２０００  日本電色製）で明度（Ｌ値）を測定した。評価基準は以下の通りである。
○；L値が８．５未満である
△；L値が８．５以上、１０未満である
×；L値が１０以上である
【０１０２】
[ＯＤ値]
評価用印字物（コート紙、または塩ビ；インキはブラック）について、ＯＤ値計（ＲＤ９１８  ＧｒｅｔａｇＭａｃｂｅｔｈ製）でＯＤ値を測定した。評価基準は以下の通りである。
○；ＯＤ値が２．５以上である
△；ＯＤ値が２．４以上、２．５未満である
×；ＯＤ値が２．４未満である
【０１０３】
【表５】
0005776249.tif 000006
【０１０４】
【表６】
0005776249.tif 000007
【０１０５】
表５および表６に示すように、実施例1〜２５の水性インクジェット用インキ組成物は保存安定性や吐出性（ノズル詰まり、ノズル抜け）等のインキ物性に優れ、その印字物は、密着性、耐擦性、耐水性、耐溶剤性、光沢、明度、ＯＤ値が良好で、優れた塗膜物性を有することがわかった。一方、比較例１〜９の水性インクジェット用インキ組成物はインキ物性が悪い上に、印字物の塗膜物性も不良であった。